(57)【要約】      （修正有）【課題】低背化及び接続信頼性が担保されたコネクタ装置を提供すること。【解決手段】コネクタ装置において、プラグコネクタ７０は、一対の凸部Ｗ１，Ｗ２を有するハウジングと、一対の凸部Ｗ１，Ｗ２の外縁に沿って設けられた導電端子７２と、を有し、リセプタクルコネクタ１０は、一対の凸部Ｗ１，Ｗ２を収容する一対の凹部Ｖ１，Ｖ２を有するハウジングと、一対の凹部Ｖ１，Ｖ２の内面に沿って設けられて導電端子７２と接触可能に構成された導電端子１２と、を有し、ハウジングは、一対の凸部Ｗ１，Ｗ２間においてハウジングを凸部Ｗ１，Ｗ２の突出方向に沿って貫通して形成される収容部７７を有し、導電端子１２は、Ｚ方向における収容部７７の延長線上に位置する第１接点１２ｘと、該第１接点１２ｘと対向して配置される第２接点１２ｙとにおいて、導電端子７２と接触可能に構成されている。【選択図】図５
2018160348.tif 000002
【特許請求の範囲】
【請求項１】
第１基板に電気的に接続された第１コネクタと、第２基板に電気的に接続されると共に前記第１コネクタに嵌合する第２コネクタと、を備え、
前記第１コネクタは、
突出状の一対の凸部を有する第１ハウジングと、前記凸部の外縁に沿って設けられた第１コンタクトと、を有し、
前記第２コネクタは、
前記一対の凸部をそれぞれ収容するへこみ状の一対の凹部を有する第２ハウジングと、前記凹部の内面に沿って設けられて前記第１コンタクトを挟み込むようにして前記第１コンタクトと接触可能に構成された第２コンタクトと、を有し、
前記第１ハウジングは、前記一対の凸部間において前記第１ハウジングを前記凸部の突出方向に沿って貫通して形成される開口状の収容部を有し、
前記第２コンタクトは、少なくとも、前記凸部の突出方向における前記収容部の延長線上に位置する第１接点と、該第１接点と対向して配置される第２接点とにおいて、前記第１コンタクトと接触可能に構成されている、コネクタ装置。
【請求項２】
前記第２ハウジングは、
平板状の底壁部と、前記底壁部から立設する一対の側壁部と、前記一対の側壁部間において前記一対の側壁部に沿って前記底壁部から立設した中央壁部と、を更に有し、
前記一対の凹部は、前記一対の側壁部、前記底壁部、及び前記中央壁部により区画されており、
前記第２コンタクトは、前記中央壁部に近接した前記第１接点、前記側壁部に近接した前記第２接点を有し、前記第１コンタクトと接触可能に構成されており、
前記第１接点は、前記第１コンタクトと前記第２コンタクトとの電気的接続を維持する機能を有し、
前記第２接点は、前記第２コネクタの前記凹部と前記第１コネクタの前記凸部との嵌合状態を維持するロック機能を有する、請求項１記載のコネクタ装置。
【請求項３】
前記凸部の突出方向において、前記第１接点と前記１基板との離間距離は、前記第２接点と前記第１基板との離間距離よりも短い、請求項２記載のコネクタ装置。
【請求項４】
前記中央壁部は、前記第２コネクタの前記凹部と前記第１コネクタの前記凸部とが嵌合した状態において、前記第１基板に当接している、請求項２又は３記載のコネクタ装置。
【請求項５】
第１基板に電気的に接続されており、第２基板に電気的に接続された相手方コネクタに嵌合する電気コネクタであって、
前記相手方コネクタが有するへこみ状の一対の凹部のそれぞれに収容される突出状の一対の凸部を有する第１ハウジングと、前記凸部の外縁に沿って設けられた第１コンタクトと、を備え、
前記第１ハウジングは、
前記一対の凸部間において前記第１ハウジングを前記凸部の突出方向に沿って貫通して形成される開口状の収容部を有し、
前記第１コンタクトは、
前記一対の凹部の内面に沿って設けられた相手方コンタクトに挟み込まれるようにして前記相手方コンタクトに接触可能とされており、
少なくとも、前記凸部の突出方向における前記収容部の延長線上に位置する第１接点と、該第１接点と対向して配置される第２接点とにおいて、前記相手方コンタクトと接触可能に構成されている、電気コネクタ。
【発明の詳細な説明】
【技術分野】
【０００１】
本開示は、コネクタ装置及び電気コネクタに関する。
【背景技術】
【０００２】
基板に実装された電気コネクタ同士の接続においては、一方の電気コネクタの導電コンタクトと相手方となる電気コネクタの導電コンタクトとが電気的に接続された接続状態を安定して維持することが重要となる。例えば特許文献１に記載されたコネクタ装置では、一方の電気コネクタの凹部と、他方の電気コネクタの凸部とが嵌合することにより、電気コネクタ同士を接続している。
【先行技術文献】
【特許文献】
【０００３】
【特許文献１】特開２００４−５５４６３号公報
【発明の概要】
【発明が解決しようとする課題】
【０００４】
近年、ノート型パソコン等のアプリケーションの薄型化に伴い、基板対基板接続用のためのコネクタ装置の低背化が進んでいる。通常、低背化が図られたコネクタ装置においては、嵌合する際に互いに接続される電気コネクタの導電コンタクト同士の接触可能な長さ、所謂、有効嵌合長を十分に確保することが難しい。有効嵌合長が短くなることにより、電気的な接続状態を安定して維持することができず、接続信頼性が低下するおそれがある。
【０００５】
そこで、本開示は、低背化を図ると共に接続信頼性が維持されたコネクタ装置及び電気コネクタを説明する。
【課題を解決するための手段】
【０００６】
本開示の一態様に係るコネクタ装置は、第１基板に電気的に接続された第１コネクタと、第２基板に電気的に接続されると共に第１コネクタに嵌合する第２コネクタと、を備え、第１コネクタは、突出状の一対の凸部を有する第１ハウジングと、凸部の外縁に沿って設けられた第１コンタクトと、を有し、第２コネクタは、一対の凸部をそれぞれ収容するへこみ状の一対の凹部を有する第２ハウジングと、凹部の内面に沿って設けられて第１コンタクトを挟み込むようにして第１コンタクトと接触可能に構成された第２コンタクトと、を有し、第１ハウジングは、一対の凸部間において第１ハウジングを凸部の突出方向に沿って貫通して形成される開口状の収容部を有し、第２コンタクトは、少なくとも、凸部の突出方向における収容部の延長線上に位置する第１接点と、該第１接点と対向して配置される第２接点とにおいて、第１コンタクトと接触可能に構成されている。
【０００７】
本開示に係るコネクタ装置では、第２コネクタの凹部に第１コネクタの凸部が収容されて第１コネクタ及び第２コネクタが嵌合した状態において、凹部の内面に沿って設けられた第２コンタクトが、凸部の外縁に沿って設けられた第１コンタクトを挟み込むようにして、第１コンタクトと接触する。挟み込むようにしてコンタクト同士が接触することにより、コンタクトの接続信頼性を向上させることができる。さらに、本開示に係るコネクタ装置では、第１ハウジングの一対の凸部間に、当該凸部の突出方向に沿って貫通する収容部が形成されており、第１接点が、凸部の突出方向における収容部の延長線上に配置されている。これにより、収容部の領域の縁にまで、第１接点を位置させることができ、低背化が図られた場合においてもコンタクトの有効嵌合長を確保することができる。また、収容部の領域の縁にまで第１接点を位置させることができるため、第２コンタクトのコンタクト長（バネ長）を長くすることができ、コンタクトのバネ性を確保することができる。以上より、本開示に係るコネクタ装置によれば、低背化を図ると共に十分な有効嵌合長を確保できるので、接続信頼性を維持することができる。
【０００８】
第２ハウジングは、平板状の底壁部と、底壁部から立設する一対の側壁部と、一対の側壁部間において一対の側壁部に沿って底壁部から立設した中央壁部と、を更に有し、一対の凹部は、一対の側壁部、底壁部、及び中央壁部により区画されており、第２コンタクトは、中央壁部に近接した第１接点、側壁部に近接した第２接点を有し、第１コンタクトと接触可能に構成されており、第１接点は、第１コンタクトと第２コンタクトとの電気的接続を維持する機能を有し、第２接点は、第２コネクタの凹部と第１コネクタの凸部との嵌合状態を維持するロック機能を有していてもよい。これにより、第２接点においてコネクタ同士の嵌合状態を維持しながら、第１接点においてコンタクトの導通を確実に維持することができる。
【０００９】
凸部の突出方向において、第１接点と１基板との離間距離は、第２接点と第１基板との離間距離よりも短くてもよい。電気的接続を維持する第１接点が、第１基板側に設けられていることにより、収容部のスペースを有効的に活用して、有効嵌合長の確保及びバネ長の確保を好適に行うことができる。
【００１０】
中央壁部は、第２コネクタの凹部と第１コネクタの凸部とが嵌合した状態において、第１基板に当接していてもよい。中央壁部が第１基板に当接する程度に、十分な長さを有して形成されていることにより、中央壁部に沿って延びる第２コンタクトを第１基板の近傍まで延ばして設けることができ、有効嵌合長の確保及びバネ長の確保を好適に行うことができる。
【００１１】
本開示の一態様に係る電気コネクタは、第１基板に電気的に接続されており、第２基板に電気的に接続された相手方コネクタに嵌合する電気コネクタであって、相手方コネクタが有するへこみ状の一対の凹部のそれぞれに収容される突出状の一対の凸部を有する第１ハウジングと、凸部の外縁に沿って設けられた第１コンタクトと、を備え、第１ハウジングは、一対の凸部間において第１ハウジングを凸部の突出方向に沿って貫通して形成される開口状の収容部を有し、第１コンタクトは、一対の凹部の内面に沿って設けられた相手方コンタクトに挟み込まれるようにして相手方コンタクトに接触可能とされており、少なくとも、凸部の突出方向における収容部の延長線上に位置する第１接点と、該第１接点と対向して配置される第２接点とにおいて、相手方コンタクトと接触可能に構成されている。
【発明の効果】
【００１２】
本開示によれば、低背化を図ると共に接続信頼性が維持されたコネクタ装置及び電気コネクタを提供することができる。
【図面の簡単な説明】
【００１３】
【図１】図１は、本実施形態に係るコネクタ装置の斜視図である。
【図２】図２は、コネクタ装置に含まれるリセプタクルコネクタを示す図であり、（ａ）は斜視図、（ｂ）は平面図、（ｃ）は正面図、（ｄ）は側面図である。
【図３】図３は、コネクタ装置に含まれるプラグコネクタを示す図であり、（ａ）は斜視図、（ｂ）は平面図、（ｃ）は正面図、（ｄ）は側面図である。
【図４】図４は、コネクタ装置を示す図であり、（ａ）は分離状態の斜視図、（ｂ）は嵌合状態の斜視図、（ｃ）は嵌合状態の平面図、（ｄ）は嵌合状態の正面図である。
【図５】図５は、図４（ｄ）のＶ−Ｖ線に沿った断面図であり、（ａ）は分離状態の断面図、（ｂ）は嵌合状態の断面図である。
【図６】図６は、図５（ｂ）の一部拡大図である。
【図７】図７は、従来例に係るコネクタ装置の断面図であり、（ａ）は低背化が図られていないコネクタ装置の断面図、（ｂ）は低背化が図られたコネクタ装置の断面図である。
【図８】図８は、本実施形態に係るコネクタ装置の有効嵌合長を説明するための断面図である。
【発明を実施するための形態】
【００１４】
以下、本開示に係る実施形態について図面を参照しつつ詳細に説明する。説明において、同一要素又は同一機能を有する要素には同一の符号を付し、重複する説明を省略する。なお、以下に説明される本開示に係る実施形態は本発明を説明するための例示であるので、本発明は以下の内容に限定されるべきではない。
【００１５】
（コネクタ装置の概要）
図１を参照して、コネクタ装置１の概要について説明する。図１に示すように、コネクタ装置１は、配線基板５０（第２基板）に電気的に接続されるリセプタクルコネクタ１０（第２コネクタ）と、配線基板９０（第１基板）に電気的に接続されるプラグコネクタ７０（第１コネクタ）とを備える。なお、図１においては、説明の便宜上、配線基板９０をプラグコネクタ７０から離して図示しているが、実際には、プラグコネクタ７０は配線基板９０に実装されている。コネクタ装置１において、リセプタクルコネクタ１０とプラグコネクタ７０とが嵌合することにより、配線基板５０と配線基板９０とが電気的に接続される。このように、コネクタ装置１は、配線基板５０，９０同士を互いに接続する、いわゆる基板対基板接続用のための電気コネクタである。
【００１６】
配線基板５０は、半田接続等によりリセプタクルコネクタ１０を実装している。配線基板９０は、半田接続等によりプラグコネクタ７０を実装している。配線基板５０，９０としては、電子回路を搭載する各種の基板、例えばプリント配線基板又はＦＰＣ（Flexible Printed Circuits）等を用いることができる。
【００１７】
以下の説明においては、リセプタクルコネクタ１０及びプラグコネクタ７０の嵌合方向を「Ｚ方向」、Ｚ方向に交差する方向である、リセプタクルコネクタ１０及びプラグコネクタ７０の長手方向を「Ｙ方向」、Ｚ方向及びＹ方向に交差する方向である、リセプタクルコネクタ１０及びプラグコネクタ７０の幅方向を「Ｘ方向」として説明する場合がある。
【００１８】
（リセプタクルコネクタ）
次に、図２（ａ）〜（ｄ）を参照して、リセプタクルコネクタ１０の詳細について説明する。なお、リセプタクルコネクタ１０の説明において、Ｚ方向における、リセプタクルコネクタ１０を基準とした配線基板５０側（図１参照）を「下」その反対側を「上」として説明する場合がある。リセプタクルコネクタ１０は、図２（ａ）〜（ｄ）に示すように、ハウジング１１（第２ハウジング）と、複数の導電端子１２（第２コンタクト）とを有する。
【００１９】
ハウジング１１は、樹脂を含んだ絶縁材料で構成されている。ハウジング１１は、所定方向に延びる略直方体形状を呈している。ハウジング１１は、底壁部１３と、側壁部１４〜１７と、中央壁部１８とを有する。
【００２０】
底壁部１３は、略矩形状を呈する板状体である。底壁部１３は、導電端子１２が設けられた領域において、導電端子１２の形状に応じた大きさの貫通孔を有する。すなわち、底壁部１３には、Ｚ方向に貫通する貫通孔が、導電端子１２の数だけ形成されている。
【００２１】
側壁部１４〜１７はそれぞれ、底壁部１３から立設するように底壁部１３上に設けられている。側壁部１４，１５（一対の側壁部）はそれぞれ、底壁部１３の各長辺近傍に位置し当該長辺に沿ってＹ方向に延びている。側壁部１６，１７はそれぞれ、底壁部１３の各短辺近傍の位置し当該短辺に沿ってＸ方向に延びている。そのため、側壁部１４，１５同士はＸ方向において互いに対向しており、側壁部１６，１７同士はＹ方向において互いに対向している。
【００２２】
中央壁部１８は、底壁部１３から立設するように底壁部１３上に設けられている。中央壁部１８は、側壁部１４〜１７から離間した状態で、側壁部１４〜１７に囲まれる空間内に位置している。中央壁部１８は、側壁部１４，１５間において、側壁部１４，１５に沿って（側壁部１４，１５の延在方向であるＹ方向に）延びている。そのため、中央壁部１８は、側壁部１４，１５と対向している。
【００２３】
ハウジング１１は更に、四角環状を呈したへこみ状の収容凹部Ｖを有する。収容凹部Ｖは、プラグコネクタ７０を収容する空間であり、一対の凹部Ｖ１，Ｖ２を有する。一対の凹部Ｖ１，Ｖ２は、側壁部１４，１５と、底壁部１３と、中央壁部１８とにより区画される領域である。一対の凹部Ｖ１，Ｖ２は、後述するプラグコネクタ７０の一対の凸部Ｗ１，Ｗ２（図３（ａ））をそれぞれ収容する。より詳細には、凹部Ｖ１は、側壁部１４と、底壁部１３と、中央壁部１８とにより囲まれる空間によって形成されている。凹部Ｖ２は、側壁部１５と、底壁部１３と、中央壁部１８とにより囲まれる空間によって形成されている。
【００２４】
複数の導電端子１２（本実施形態では１９個の導電端子１２）は、凹部Ｖ１の内面に沿って設けられており、後述するプラグコネクタ７０の凸部Ｗ１（図３（ａ）参照）の外縁に沿って設けられた導電端子７２（図３（ａ）参照）を挟み込むようにして、導電端子７２と接触可能に構成されている（図５（ｂ）参照）。凹部Ｖ２の内面にも同様に複数の導電端子１２（本実施形態では１９個の導電端子１２）が設けられており、これらの導電端子１２は、後述するプラグコネクタ７０の凸部Ｗ２（図３（ａ）参照）の外縁に沿って設けられた導電端子７２（図３（ａ）参照）を挟み込むようにして、導電端子７２と接触可能に構成されている（図５（ｂ）参照）。凹部Ｖ１の内面に設けられた導電端子１２と、凹部Ｖ２の内面に設けられた導電端子１２とは、互いに同様の構成であるので、以下では、凹部Ｖ１の内面に設けられた導電端子１２について説明し、凹部Ｖ２の内面に設けられた導電端子１２の説明を省略する。
【００２５】
導電端子１２は、板状の導電材料（例えば金属部材）によって構成されている。導電端子１２は、基端部１２ａと、中間部１２ｂと、接触部１２ｃとを有する（図２（ａ）〜（ｄ）、図５（ａ）及び（ｂ）、並びに図６参照）。基端部１２ａは、底壁部１３の近傍に位置しており、側壁部１４から外方に向けてＸ方向に延びている。基端部１２ａは、リセプタクルコネクタ１０が配線基板５０に実装される際に、配線基板５０の電極（図示せず）と半田等によって接続される。中間部１２ｂは、基端部１２ａに連続すると共に、上方に向けて側壁部１４に沿ってＺ方向に延びている。中間部１２ｂは、側壁部１４に形成された溝に対し圧入によって固定される部分である。接触部１２ｃは、中間部１２ｂに連続すると共に、凹部Ｖ１の内面に沿って設けられ、プラグコネクタ７０の導電端子７２の接触部７２ｂ（図３（ａ）及び図５（ａ）参照）と接触する部分である。接触部１２ｃにおける中間部１２ｂに連続する側と反対側の端部は、中央壁部１８の近傍に位置しており、より詳細には中央壁部１８の上端付近に位置している。図６に示されるように、接触部１２ｃは、少なくとも、中央壁部１８に近接した第１接点１２ｘ及び中間部１２ｂに連続される側壁部１４に近接した第２接点１２ｙの２箇所で、プラグコネクタ７０の接触部７２ｂと接触している。第１接点１２ｘ及び第２接点１２ｙは、いずれも凹部Ｖ１に露出するように突出している。第１接点１２ｘ及び第２接点１２ｙと、接触部７２ｂとの接触の詳細については後述する。
【００２６】
（プラグコネクタ）
次に、図３（ａ）〜（ｄ）を参照して、プラグコネクタ７０の詳細について説明する。プラグコネクタ７０は、ハウジング７１（第１ハウジング）と、複数の導電端子７２（第１コンタクト）とを有する。
【００２７】
ハウジング７１は、樹脂を含んだ絶縁材料で構成されている。ハウジング７１は、所定方向に延びる略直方体形状を呈しており、より詳細には、直方体形状の中央部分がくり抜かれた（Ｚ方向に貫通した）形状を呈している。ハウジング７１は、側壁部７３〜７６を有する。
【００２８】
側壁部７３〜７６は、ハウジング７１の外縁を画定する壁部である。側壁部７３，７４は、Ｚ方向に突出しており、それぞれＹ方向に延びている。側壁部７５，７６は、Ｚ方向に突出しており、それぞれＸ方向に延びている。そのため、側壁部７３，７４同士はＸ方向において互いに対向しており、側壁部７５，６同士はＹ方向において互いに対向している。側壁部７３〜７６は、プラグコネクタ７０がリセプタクルコネクタ１０と嵌合する際に、リセプタクルコネクタ１０の収容凹部Ｖ内に収容される。そのため、側壁部７３〜７６は、全体として突出状を呈する嵌合凸部Ｗを構成している。側壁部７３，７４は、一対の凸部Ｗ１，Ｗ２を構成し、一対の凹部Ｖ１，Ｖ２に収容される。すなわち、凸部Ｗ１を構成する側壁部７３は、凹部Ｖ１に収容され、凸部Ｗ２を構成する側壁部７４は、凹部Ｖ２に収容される（図５（ｂ）参照）。
【００２９】
ここで、ハウジング７１は、上述したように直方体形状の中央部分がくり抜かれた（Ｚ方向に貫通した）形状を呈しており、当該貫通部分である収容部７７を有する。すなわち収容部７７は、一対の凸部Ｗ１，Ｗ２を構成する側壁部７３，７４間において、ハウジング７１を一対の凸部Ｗ１，Ｗ２の突出方向であるＺ方向に沿って貫通するように形成された開口状の部分である。このように、ハウジング７１は、側壁部７３，７４間に底壁部を有さない形状とされている。
【００３０】
複数の導電端子７２（本実施形態では１９個の導電端子７２）は、凸部Ｗ１を構成する側壁部７３の外縁に沿って設けられている。そのため、側壁部７３には複数の導電端子７２がＹ方向に一列に並んでいる。凸部Ｗ２を構成する側壁部７４にも同様に複数の導電端子７２（本実施形態では１９個の導電端子７２）が取り付けられている。これらの導電端子７２の構成は同じであるので、以下では、側壁部７３における導電端子７２について説明し、側壁部７４における導電端子７２の説明を省略する。
【００３１】
導電端子７２は、板状の導電材料（例えば金属部材）によって構成されている。導電端子７２は、基端部７２ａと、接触部７２ｂを有する（図３（ａ）〜（ｄ）、図５（ａ）及び（ｂ）、並びに図６参照）。基端部７２ａは、側壁部７３から外方に向けてＸ方向に延びている。基端部７２ａは、プラグコネクタ７０が配線基板９０に実装される際に、配線基板９０の電極（図示せず）と半田等によって接続される。接触部７２ｂは、基端部７２ａにおける側壁部７３の内壁面を向いた端部に連続すると共に、側壁部７３の内壁面に沿って延びており、リセプタクルコネクタ１０の導電端子１２の接触部１２ｃと接触する部分である。図６に示されるように、接触部７２ｂは、側壁部７３の形状に沿うようにして内壁面から外壁面に延びており、側壁部７３の内壁面に近接した第１接点７２ｘ及び外壁面に近接した第２接点７２ｙの２箇所で、リセプタクルコネクタ１０の導電端子１２の接触部１２ｃと接触可能に配置されている。より詳細には、第１接点７２ｘは接触部１２ｃの第１接点１２ｘと接触可能に配置され、第２接点７２ｙは接触部１２ｃの第２接点１２ｙと接触可能に配置される。第２接点７２ｙには、側壁部７３の内壁面に向けて凹んだ凹部７２ｚが形成されている（図６参照）。凹部７２ｚは、接触部１２ｃの第２接点１２ｙを収容する部分である。第２接点７２ｙは、凹部７２ｚに第２接点１２ｙが収容された状態で、該第２接点１２ｙと接触する。第１接点７２ｘ及び第２接点７２ｙと、接触部１２ｃとの接触の詳細については後述する。
【００３２】
（リセプタクルコネクタ及びプラグコネクタの嵌合状態）
次に、図４（ａ）〜（ｄ）、図５（ａ）及び（ｂ）、並びに図６を参照して、リセプタクルコネクタ１０及びプラグコネクタ７０の嵌合状態について説明する。
【００３３】
プラグコネクタ７０をリセプタクルコネクタ１０に嵌合させる際には、図４（ａ）及び図５（ａ）に示すように、分離状態（嵌合前）において、プラグコネクタ７０とリセプタクルコネクタ１０とを対向配置する。具体的には、プラグコネクタ７０の凸部Ｗ１とリセプタクルコネクタの凹部Ｖ１とがＺ方向において対向するととともに、プラグコネクタ７０の凸部Ｗ２とリセプタクルコネクタの凹部Ｖ２とがＺ方向において対向するように、各コネクタを配置する。
【００３４】
この状態から、図４（ｂ）〜（ｄ）及び図５（ｂ）に示すように、プラグコネクタ７０とリセプタクルコネクタ１０とが嵌合すると、リセプタクルコネクタ１０の収容凹部Ｖに、プラグコネクタ７０の側壁部７３〜７６から構成される嵌合凸部Ｗが収容される。具体的には、図５（ｂ）に示すように、凹部Ｖ１に凸部Ｗ１が収容され、凹部Ｖ２に凸部Ｗ２が収容される。嵌合状態においては、リセプタクルコネクタ１０の中央壁部１８が、プラグコネクタ７０の配線基板９０に当接している。
【００３５】
嵌合状態における導電端子１２，７２の接触について、図６を参照して説明する。上述したように、嵌合状態においては、リセプタクルコネクタ１０の凹部Ｖ１にプラグコネクタ７０の凸部Ｗ１が収容されている。この状態では、リセプタクルコネクタ１０の接触部１２ｃは、少なくとも、プラグコネクタ７０の収容部７７のＺ方向における延長線上に位置する第１接点１２ｘと、凸部Ｗ１を挟むように第１接点１２ｘと対向して配置される第２接点１２ｙとにおいて、プラグコネクタ７０の接触部７２ｂに接触する。
【００３６】
第１接点１２ｘは、プラグコネクタ７０の収容部７７のＺ方向における延長線上に位置している。このことにより、収容部７７が形成された領域の縁（配線基板９０の近傍）にまで第１接点１２ｘを位置させることができる。このように、第１接点１２ｘは、Ｚ方向における広い範囲で、接触部７２ｂ（詳細には、第１接点７２ｘ）と接触可能であり、導電端子１２と導電端子７２との電気的接続を維持する機能を有する。
【００３７】
第２接点１２ｙは、プラグコネクタ７０の凹部７２ｚに収容された状態において、プラグコネクタ７０の第２接点７２ｙと接触している。第２接点１２ｙが凹部７２ｚに収容されることにより、コネクタ同士の嵌合状態を強固に維持することができる。このように、第２接点１２ｙは、凹部７２ｚとの凹凸の関係により、上記嵌合状態を維持するロック機能を有する。なお、嵌合状態において、図５（ｂ）に示すように、第１接点１２ｘと配線基板９０との離間距離ａは、第２接点１２ｙと配線基板９０との離間距離ｂよりも短くされている（ａ＜ｂ）。すなわち、第１接点１２ｘは、第２接点１２ｙと比べて、配線基板９０からの距離が近い。
【００３８】
（作用効果）
次に、上述したコネクタ装置１の作用効果について説明する。
【００３９】
最初に、図７（ａ）及び（ｂ）を参照して、基板に実装された電気コネクタ同士の従来の接続構成を説明する。図７（ａ）に示すように、従来のコネクタ装置１０１では、リセプタクルコネクタ１１０に嵌合するプラグコネクタ１７０が一対の側壁１７３，１７３間に底壁部１０５を有している（図７（ａ）には一対の側壁１７３，１７３のうちの一方のみしか現れない）。この場合、中央壁部１８に沿って延びる、リセプタクルコネクタ１１０の導電端子１１２の接触部１１２ｃ（プラグコネクタ１７０の導電端子１７２の接触部１７２ｂと接触する部分）の位置は、プラグコネクタ１７０の底壁部１０５によって制限されることとなる。すなわち、図７（ａ）に示されたような構成においては、接触部１１２ｃの接触部１７２ｂとの有効嵌合長Ｈ１、及び、導電端子１１２の長さ（バネ長）Ｌ１が、プラグコネクタ１７０の底壁部１０５によって制限されることとなる。なお、有効嵌合長とは、両コネクタの導電端子同士の接触可能な長さ、すなわち嵌合状態での接点の導通可能な距離の長さをいう。
【００４０】
図７（ｂ）に示すコネクタ装置２０１は、基本構成をコネクタ装置１０１と同様としながら、低背化（例えば、コネクタ装置２０１の高さを０．６ｍｍ程度）を図った構成である。近年、ノート型パソコンのアプリケーションの薄型化等に伴い、基板対基板用の接続のためのコネクタ装置の低背化が進んでいる。図７（ｂ）に示すように、低背化を図った従来のコネクタ装置２０１では、上述したコネクタ装置１０１と同様に、中央壁部２１８に沿って延びる、リセプタクルコネクタ２１０の導電端子２１２の接触部２１２ｃ（プラグコネクタ２７０の導電端子２７２の接触部２７２ｂと接触する部分）の位置は、プラグコネクタ２７０の底壁部２０５によって制限されることとなる。すなわち、図７（ｂ）に示されたような構成においては、接触部２１２ｃの接触部２７２ｂとの有効嵌合長Ｈ２、及び、導電端子２１２の長さ（バネ長）Ｌ２が、プラグコネクタ２７０の底壁部２０５によって制限されることとなる。コネクタ装置２０１では、コネクタ装置１０１よりも低背化が図られているため、有効嵌合長Ｈ２及びバネ長Ｌ２の確保が、コネクタ装置１０１よりも更に困難となる。両コネクタの導電端子同士の接触可能な長さである有効嵌合長が短くなることにより、電気的な接続状態を安定して維持することができず、接続信頼性が低下するおそれがある。また、バネ長Ｌ２が短くなることにより、コンタクトのバネ性を確保することができず、この点においても接続信頼性が低下するおそれがある。
【００４１】
これに対して、本実施形態に係るコネクタ装置１は、図２〜図６、及び図８に示すように、配線基板９０に電気的に接続されたプラグコネクタ７０と、配線基板５０に電気的に接続されると共にプラグコネクタ７０に嵌合するリセプタクルコネクタ１０と、を備え、プラグコネクタ７０は、突出状の一対の凸部Ｗ１，Ｗ２を有するハウジング７１と、一対の凸部Ｗ１，Ｗ２の外縁に沿って設けられた導電端子７２と、を有し、リセプタクルコネクタ１０は、一対の凸部Ｗ１，Ｗ２をそれぞれ収容するへこみ状の一対の凹部Ｖ１，Ｖ２を有するハウジング１１と、一対の凹部Ｖ１，Ｖ２の内面に沿って設けられて導電端子７２を挟み込むようにして導電端子７２と接触可能に構成された導電端子１２と、を有し、ハウジング７１は、一対の凸部Ｗ１，Ｗ２間においてハウジング７１を凸部Ｗ１，Ｗ２の突出方向に沿って貫通して形成される開口状の収容部７７を有し、導電端子１２は、少なくとも、Ｚ方向における収容部７７の延長線上に位置する第１接点１２ｘと、該第１接点１２ｘと対向して配置される第２接点１２ｙとにおいて、導電端子７２と接触可能に構成されている。
【００４２】
よって、本実施形態に係るコネクタ装置１では、リセプタクルコネクタ１０の一対の凹部Ｖ１，Ｖ２にプラグコネクタ７０の凸部Ｗ１，Ｗ２が収容されてリセプタクルコネクタ１０及びプラグコネクタ７０が嵌合した状態において、一対の凹部Ｖ１，Ｖ２の内面に沿って設けられた導電端子１２が、一対の凸部Ｗ１，Ｗ２の外縁に沿って設けられた導電端子７２を挟み込むようにして、導電端子７２と接触する。挟み込むようにして導電端子１２，７２同士が接触することにより、導電端子１２，７２の接続信頼性を向上させることができる。
【００４３】
さらに、本実施形態に係るコネクタ装置１では、プラグコネクタ７０の一対の凸部Ｗ１，Ｗ２間に、当該凸部Ｗ１，Ｗ２の突出方向に沿って貫通する開口状の収容部７７が形成されており、第１接点１２ｘが、Ｚ方向における収容部７７の延長線上に配置されている。これにより、収容部７７の領域の縁（従来のコネクタ装置２０１において底壁部２０５が設けられていた領域）にまで、第１接点１２ｘを位置させることができる。このことで、図８に示すように、低背化が図られた場合においてもコンタクトの有効嵌合長Ｈ３を確保することができる。この場合、コネクタ装置１が設けられた機器において、振動や衝撃が生じた場合であっても、十分な有効嵌合長により電気接続を保つことができる。更に、有効嵌合長を確保することにより、コネクタ装置１においてコンタクト同士を容易に導通させることができ、半嵌合状態となることを効果的に防止できる。そして、収容部７７の領域の縁にまで第１接点１２ｘを位置させることができるため、図８に示すように、導電端子１２のバネ長Ｌ３を長くすることができ、導電端子１２のバネ性を確保することができる。以上より、本実施形態に係るコネクタ装置１によれば、低背化を図ると共に接続信頼性を維持することができる。
【００４４】
また、コネクタ装置１において、ハウジング１１は、底壁部１３と、底壁部１３から立設する一対の側壁部１４，１５と、一対の側壁部１４，１５間において一対の側壁部１４，１５に沿って底壁部１３から立設した中央壁部１８と、を更に有し、一対の凹部Ｖ１，Ｖ２は、一対の側壁部１４，１５、底壁部１３、及び中央壁部１８により区画されており、導電端子１２は、中央壁部１８に沿った領域を第１接点１２ｘ、側壁部１４，１５に沿った領域を第２接点１２ｙとして、導電端子７２と接触可能に構成されており、第１接点１２ｘは、導電端子１２と導電端子７２との電気的接続を維持する機能を有し、第２接点１２ｙは、リセプタクルコネクタ１０の凹部Ｖ１，Ｖ２と、プラグコネクタ７０の凸部Ｗ１，Ｗ２との嵌合状態を維持するロック機能を有する。具体的には、第２接点１２ｙは、プラグコネクタ７０の凹部７２ｚに収容された状態において、導電端子７２と接触している。第２接点１２ｙが凹部７２ｚに収容されることにより、コネクタ同士の嵌合状態を強固に維持することができる。このことで、第２接点１２ｙにおいてコネクタ同士の嵌合状態を維持しながら、第１接点１２ｘにおいてコンタクトの導通を確実に維持することができる。
【００４５】
また、図５（ｂ）に示すように、コネクタ装置１において、第１接点１２ｘと配線基板９０との離間距離ａは、第２接点１２ｙと配線基板９０との離間距離ｂよりも短い（ａ＜ｂ）。電気的接続を実現する第１接点１２ｘが、配線基板９０に近接して設けられていることにより、収容部７７のスペースを有効的に活用して、有効嵌合長の確保及びバネ長の確保を好適に行うことができる。
【００４６】
また、図５（ｂ）に示すように、コネクタ装置１において、中央壁部１８は、リセプタクルコネクタ１０の一対の凹部Ｖ１，Ｖ２と、プラグコネクタ７０の一対の凸部Ｗ１，Ｗ２とが嵌合した状態において、配線基板９０に当接している。中央壁部１８が配線基板９０に当接する程度に、十分な長さを有して形成されていることにより、中央壁部１８に沿って延びる導電端子１２を配線基板９０の近傍まで延ばして設けることができ、有効嵌合長の確保及びバネ長の確保をより好適に行うことができる。
【００４７】
（変形例）
以上、本開示に係る実施形態について説明したが、本発明の要旨の範囲内で種々の変形を上記の実施形態に加えてもよい。コネクタ装置１では、第２接点１２ｙが、プラグコネクタ７０の凹部７２ｚに収容された状態において、導電端子７２と接触することにより、コネクタ同士の嵌合状態を強固に維持するとして説明したが、嵌合状態を維持するための構成はこれに限定されない。例えば、リセプタクルコネクタの第２接点を凹部とし、プラグコネクタの導電端子を凸部として、当該凸部を第２接点の凹部に収容することにより、コネクタ同士の嵌合状態を強固に維持してもよい。
【符号の説明】
【００４８】
１…コネクタ装置、１０…リセプタクルコネクタ（第２コネクタ）、１１…ハウジング（第２ハウジング）、１２…導電端子（第２コンタクト）、１２ｘ…第１接点、１２ｙ…第２接点、１３…底壁部、１４，１５…側壁部（一対の側壁部）、１８…中央壁部、５０…配線基板（第２基板）、７０…プラグコネクタ（第１コネクタ）、７１…ハウジング（第１ハウジング）、７２…導電端子（第１コンタクト）、７７…収容部、９０…配線基板（第１基板）、Ｖ１，Ｖ２…凹部、Ｗ１，Ｗ２…凸部。
【図１】
2018160348.tif 000003
【図２】
2018160348.tif 000004
【図３】
2018160348.tif 000005
【図４】
2018160348.tif 000006
【図５】
2018160348.tif 000007
【図６】
2018160348.tif 000008
【図７】
2018160348.tif 000009
【図８】
2018160348.tif 000010